(57)【特許請求の範囲】
【請求項１】
外カバー部材と身体側ライナーとの間に挟まれた吸収体構造を備えるシャーシを含み、少なくとも１領域に望ましい程度の延伸可能性を有する、使用者に着用される使い捨て吸収性物品を製造する方法であって、
延伸可能である、前記吸収性物品の各領域について、前記物品が延伸されたときに少なくとも２つの材料が相互に摩擦滑り接触の状態にあるかどうかを判断し、
摩擦滑り接触の状態にある材料について、これらの材料間の摩擦係数を求め、
前記材料間の摩擦係数が０．４０よりも大きい場合には、０.４より大きくない摩擦係数になるまで減少させる対策を講じ、前記物品が延伸されたときに摩擦滑り接触状態にある前記物品のどの２つの材料間においても摩擦係数が０．４よりも大きくないものとなるようにする、
段階からなる方法。
【請求項２】
前記対策を講じる段階は、前記材料間の摩擦係数が０．４よりも大きくないように少なくとも１つの材料を変更する段階を含むことを特徴とする請求項１に記載の方法。
【請求項３】
前記対策を講じる段階は、前記少なくとも１つの材料に潤滑性物質で処理を施し、前記材料間の前記摩擦係数を０．４より大きくならないように減少させることを含むことを特徴とする請求項１に記載の方法。
【請求項４】
前記対策を講じる段階は、前記材料間にスリップ部材を配置する段階を含み、該スリップ部材が、該スリップ部材と前記材料の間の界面が０．４より大きくない摩擦係数を持つような材料からなることを特徴とする請求項１に記載の方法。
【請求項５】
請求項１に記載の方法で製造された吸収性物品であって、
前記吸収性物品は、外カバー部材と身体側ライナーの間に挟まれた吸収体構造を含むシャーシを含み、前記吸収体構造は、引張力に対する伸び量が同じ引張力のもとでの前記外カバー部材の伸び量より小さく、前記外カバーは、該吸収体構造との間の摩擦係数が０．４より大きくない関係で前記吸収体構造に対して滑り摩擦接触の状態になることを特徴とする吸収性物品。
【請求項６】
前記シャーシは、外カバー部材と身体側ライナーの間に挟まれた吸収体構造を含み、前記吸収体構造は、エラストマー性が前記外カバー部材と前記身体側ライナーより小さく、前記外カバー部材と前記身体側ライナーは、該吸収体構造との間の摩擦係数が０．４より大きくない関係で前記吸収体構造に対して滑り摩擦接触の状態になったことを特徴とする請求項５に記載の吸収性物品。
【請求項７】
前記シャーシは、外カバー部材と身体側ライナーとの間に挟まれた吸収体構造を備え、前記身体側ライナーと前記外カバー部材はほぼ同一の広がりを持っており、前記物品の側部シームに沿って取り付けられた前記シャーシの側部パネルを定め、前記外カバー部材と前記身体側ライナーは、これらの間の摩擦係数が０．４より大きくない状態で、前記側部パネルの少なくとも一部に沿って摩擦滑り接触状態になっていることを特徴とする請求項５に記載の吸収性物品。
【請求項８】
前記外カバー部材及び前記身体側ライナーの少なくとも１つが、エラストマー性材料からなることを特徴とする請求項７に記載の吸収性物品。
【請求項９】
前記外カバー部材及び前記身体側ライナーが、エラストマー性材料からなることを特徴とする請求項７に記載の吸収性物品。
【請求項１０】
前記吸収体構造は、弾性コフォーム材料からなることを特徴とする請求項７に記載の吸収性物品。
【請求項１１】
前記シャーシは、外カバー部材と身体側ライナーの間に挟まれた吸収体構造を含み、前記身体側ライナー及び前記外カバー部材はほぼ同一の広がりを持ち、前記外カバー部材及び前記身体側ライナーは、前記吸収体構造に対する前記身体側ライナーと前記外カバー部材との摩擦係数が０．４より大きくない状態で、前記吸収体と滑り摩擦接触の状態になった、ことを特徴とする請求項５に記載の吸収性物品。
【請求項１２】
前記外カバー部材及び前記身体側ライナーの少なくとも１つが、エラストマー性材料からなることを特徴とする請求項１１に記載の吸収性物品。
【請求項１３】
前記外カバー部材及び前記身体側ライナーが、エラストマー性材料からなることを特徴とする請求項１１に記載の吸収性物品。
【請求項１４】
前記吸収体構造は、エラストマー性コフォーム材料からなることを特徴とする請求項１１に記載の吸収性物品。
【請求項１５】
相対的に滑り摩擦接触状態にある前記２つの材料は、概してエラストマー性の材料と概して非エラストマー性の材料からなることを特徴とする請求項５に記載の吸収性物品。
【請求項１６】
前記物品は、使い棄てオムツ、子供用訓練用パンツ、失禁用物品、女性用ケアー製品、水泳用パンツ、及びオムツパンツの１つであることを特徴とする請求項５に記載の吸収性物品。
【発明の詳細な説明】
【技術分野】
【０００１】
本発明は、一般的に、子供用訓練用パンツ、オムツ、失禁用物品、女性用ケアー製品、水泳用パンツ、オムツ用パンツ、及び同様のもののような使い棄て吸収性物品及び衣類の分野に関し、より特定的には、このような物品に使用するための材料の組み合わせに関する。
【背景技術】
【０００２】
使い棄てオムツ、訓練用パンツ、女性用ケアー物品、失禁用物品、水泳用パンツ、オムツ用パンツ及び同様のものなどの多くの型の使い棄て吸収性物品は、吸収体構造を含む異なる型の材料を組み込むシャーシを利用する。シャーシは、例えば、身体側ライナーと外カバー部材の間に挟まれた吸収性パッド及びサージ層を含むことができる。
【０００３】
製品の心地よさ、性能、サイズの範囲などの側面から、多くの型の吸収性物品には、エラストマー性材料を様々な物品シャーシの部品に組み込むことが望ましい。例えば、子供用訓練用パンツ物品に、延伸可能な、すなわちエラストマー性側部パネルを組み込むことが広く知られている。このような形態は、例えば、ウイスコンシン州、ニーナのＫｉｍｂｅｒｌｙ−Ｃｌａｒｋ  Ｃｏｒｐ．による使い棄て訓練用パンツＨＵＧＧＩＥＳ（登録商標）ＰＵＬＬ−ＵＰＳ（登録商標）として知られている。又、広く種々異なる使い棄てオムツ、訓練用パンツ、及び同様のものにおいて、弾性腰部バンド構造を、その全体又は一部に組み込むことが共通の特徴である。エラストマー性外カバー又は身体側ライナーは、別の形式の吸収性物品において使用される。
【０００４】
このような物品の「延伸可能な」特徴は、自然の結果として、互いに摩擦摺動するシャーシ材料を形成することになる。例えば、エラストマー性外カバー部材は、概して非延伸性の吸収性パッド又はサージ層材料に対して滑ることになる。或いは、異なる延伸張力を持つエラストマー性材料も又、様々な物品形態において互いに滑ることになる。例えば、エラストマー性外カバー部材は、弾性コフォーム吸収性パッドに対して、又はシャーシの側部部分に沿ったエラストマー性身体側ライナーに対して滑ることになる。一般的に、「延伸可能な」特徴を持つ吸収性物品では、異なる弾性又は延伸可能性を持つ材料は、互いが滑り摩擦接触の状態になるか、又はエラストマー性材料が非エラストマー性材料と滑り接触の状態になる。
【０００５】
【特許文献１】米国特許第４，９６５，１２２号公報
【特許文献２】米国特許第４，９８１，７４７号公報
【特許文献３】米国特許第５，２２６，９９２号公報
【特許文献４】米国特許第５，３３６，５４５号公報
【特許文献５】米国特許第４，７２０，４１５号公報
【特許文献６】米国特許第４，７８９，６９９号公報
【特許文献７】米国特許第４，７８１，９６６号公報
【特許文献８】米国特許第４，６５７，８０２号公報
【特許文献９】米国特許第４，６５５，７６０号公報
【特許文献１０】米国特許第５，１１４，７８１号公報
【特許文献１１】米国特許第５，１１６，６６２号公報
【特許文献１２】米国特許第５，６０１，５４７号公報
【特許文献１３】米国特許第５，５００，０６３号公報
【特許文献１４】米国特許第５，５４５，１５８号公報
【特許文献１５】米国特許第６，３５８，３５０号Ｂ１公報
【特許文献１６】米国特許第６，３３６，９２１号Ｂ１公報
【特許文献１７】米国特許第５，７１１，８３２号公報
【特許文献１８】米国特許第４，９４０，４６４号公報
【特許文献１９】米国特許第５，２２４，４０５号公報
【特許文献２０】米国特許第５，１０４，１１６号公報
【特許文献２１】米国特許第５，０４６，２７２号公報
【特許文献２２】米国特許番号ＷＯ  ０１／８８２４５公報
【特許文献２３】米国特許第４，６６３，２２０号公報
【特許文献２４】ヨーロッパ特許出願番号０  ２１７  ０３２公報
【特許文献２５】米国特許第４，９３８，７５３号公報
【特許文献２６】米国特許第６，２３１，５５７号Ｂ１公報
【特許文献２７】国際出願番号ＷＯ  ００／３５３９５公報
【特許文献２８】米国特許第４，７０４，１１６号公報
【特許文献２９】米国特許第４，１００，３２４号公報
【特許文献３０】米国特許第５，２８４，７０３号公報
【特許文献３１】米国特許第５，３５０，６２４号公報
【特許文献３２】米国特許第６，３６２，３８９号公報
【特許文献３３】米国特許第５，４８６，１６６号公報
【特許文献３４】米国特許第５，４９０，８４６号公報
【特許文献３５】米国特許第５，８２０，９７３号公報
【特許文献３６】米国特許第４，０４１，２０３号公報
【発明の開示】
【発明が解決しようとする課題】
【０００６】
本発明は、吸収性物品の滑り材料の間の摩擦係数の差が不均衡に大きいことに関連する潜在的な問題点を認識するもので、このような問題に対処する方法及び材料の組み合わせを提供する。
【０００７】
本発明の目的及び利点は、一部が以下の説明において述べられ、或いはその説明から明らかであり、本発明の実施を通じて理解することができるであろう。
【０００８】
設計されたように機能する訓練用パンツのような延伸吸収性物品にとって、物品が伸ばされる時、エラストマー性材料は、典型的には非エラストマー性の材料（すなわち高延伸張力材料）に対して滑らなければならない。異なる延伸張力を持つ異なる型のエラストマー性材料が、滑り接触の状態になる時、この概念は同様に当てはまる。１つの材料がもう一方の材料より「容易に」伸びるならば、物品を伸ばす時に材料間に相対的滑り移動が存在することになる。
【０００９】
一般的に、本出願人出願人は、延伸吸収性物品の滑り接触において材料間に著しい摩擦係数（「ＣＯＦ」）が望ましくない結果をもたらすであろうことを認識した。例えば、あまりエラストマー性ではないか又は非エラストマー性の材料は、よりエラストマー性である材料が設計された範囲又は容易さにまで延伸されるのを阻止することになる。これは、心地よさ及び性能に関しての問題の原因となるものである。このような材料間のＣＯＦの機能として生じる吸収性物品内での滑り接触における材料間の摩擦を最小にさせることによって、利点を得ることができることを出願人は見出した。材料間のＣＯＦを制限することにより物品は低張力で延びるが、これは摩擦力による延伸の阻止が最小にされるからである。消費者は、低張力を与えることで伸びを一層容易に感じることができる。低張力での延びは、物品において、身体の広い範囲にわたり、着用者の肌に「より柔軟な」心地よい感触を与える。エラストマー性材料の伸びを増加させることは、特定の用途に必要とされる材料の量をより少なくさせ、これによりこのような材料は経済的に使用されることとなる。低張力で得られる増加した延びは又、物品が引っ張って着用される時に、物品にかかる圧力を制限する。これは、「比較的弱い」、可能な限り高価でない接着剤又は他の締結材料の使用を可能にするものである。
【００１０】
本発明は、上記したことの少なくとも一部を実現することを前提とし、延伸性吸収性物品における材料間の界面摩擦係数を、材料の選択及び／又は様々な処理を通して最小化し、界面摩擦係数を減少させる、吸収性物品の製造方法を提供する。本発明による吸収性物品の実施形態を以下に詳細に述べる。
【００１１】
本発明の付加的な側面も又、以下に図面に示された実施形態に関して更に詳細に示される。
【発明を実施するための最良の形態】
【００１２】
本発明は、特定の実施形態に関して詳細を以下に述べる。これらの実施形態は、本発明の説明として与えられるもので、本発明を限定することは意味していない。例えば、１つの実施形態の部分として述べられ又は示された特徴を、別の実施形態において利用し、更なる実施形態とすることができる。本発明は、本発明の範囲及び意図で成される、これらの及び他の変更及び修正を含むものである。
【００１３】
本説明の内容において、次の用語は以下の意味を持つものとする。
【００１４】
「取り付けられた」及び「結合した」は、接着、粘着、接合及び、２つの要素を取り付け又は結合する他のあらゆる方法を意味する。２つの要素は、互いが直接接着されているか、又は、互いが間接的に接着されている時、例えば各々が中間要素に直接取り付けられているような時に、共に取り付けられ又は結合されていると考えられることになる。
【００１５】
「エラストマー性」は、弛緩された長さの少なくとも２５％延びることができ、更に付与した力を除去した時、その伸びの少なくとも１０％が回復するであろう材料又は複合体を意味する。エラストマー性材料又は複合体は、その弛緩された長さの少なくとも１００％、より好ましくは少なくとも３００％延ばされることができ、更にその伸びの少なくとも５０％が回復することが一般的に好ましい。エラストマー性材料は、このように延伸可能で、「延伸可能な」及び「エラストマー性」は互換的に使用される。
【００１６】
「弾性」又は「弾性のある」は、変形の原因となる力を除去した後、本来の大きさ及び形状を回復する傾向にある材料又は複合体の特性を意味する。弾性材料は又、エラストマー性である。
【００１７】
「ネック付与状態で接着した」積層体は、非弾性部材が機械方向に伸ばされている状態で弾性部材が非エラストマー性部材に接合され、は、横方向に弾性のあるネック付与した材料となった複合材料を意味する。ネック付与状態で接着した積層体の例は、米国特許第４，９６５，１２２号、第４，９８１，７４７号、第５，２２６，９９２号、及び第５，３３６，５４５号に記載されており、その全体はすべての目的について引用によりここに組み入れられる。
【００１８】
「延伸接着した」積層体は、１つの層がギャザー寄せ可能な層で、他方の層が弾性層である少なくとも２つの層を持つ複合材料を意味する。弾性層が伸びた状態の時にこれらの層が結合され、層が弛緩された状態の時にギャザー寄せ可能な層は、キャザー寄せされる。例えば、１つの弾性部材は、該弾性部材が、弛緩された時の長さの少なくとも約２５％延ばされた状態で、別の部材と接着することができる。このような多層複合弾性材料は、非弾性層が十分に伸ばされるまで伸ばすことができる。延伸接着した積層体の例は、例えば、米国特許第４，７２０，４１５号、第４，７８９，６９９号、第４，７８１，９６６号、第４，６５７，８０２号、及び第４，６５５，７６０号に記載されており、その全体はすべての目的について引用によりここに組み入れられる。
【００１９】
ここで用いられる「ネック付与状態で延伸接着した積層体（ＮＳＢＬ）」は、ネック付与状態で接着した積層体と延伸接着した積層体の組み合わせから形成された積層体を意味する。ネック付与状態で延伸接着した積層体は、米国特許第５，１１４，７８１号及び第５，１１６，６６２号に記載されており、その全体はすべての目的について引用によりここに組み入れられる。特筆すべき利点として、ネック付与状態で延伸接着した積層体は、機械方向及び機械横方向のどちらにも延伸可能とすることができる。
【００２０】
「不織ウエブ」は、個々の繊維又は糸が互いに組み合わされているが、識別可能な繰り返される形ではない構造を持つウエブを意味する。不織ウエブは、例えば、メルトブローン法、スパンボンド法、及びボンデッドカーデッドウエブ法を含む様々な方法により形成されてきた。
【００２１】
「シート」は、フィルム又は不織ウエブのいずれとすることもできる層を意味する。
【００２２】
「ネック付与した」又は「ネック付与した材料」は、張力の付与により少なくとも１つの方向に狭くさせた材料を意味する。
【００２３】
「部材」は、単数で使用される時、単一の要素又は複数の要素を意味することができる。
【００２４】
ここで用いられる摩擦係数（「ＣＯＦ」）は、対の材料間の特定的な動的又は動摩擦係数の測定から求められた相対値である。ＣＯＦ値は、相対的界面摩擦係数と呼ぶことができる。動摩擦係数値は、ＡＳＴＭ方法Ｄ１８９４−００の特定的な変形を使用して求めることができる。
【００２５】
ここで用いられる「摩擦滑り接触」は、使用する過程において伸ばされるように設計された物品における異なる延伸特性を持つ隣接層の界面特性を意味する。１方の層が他方の層より多く又は少なく延伸する場合、延伸の相対的な差が、層間の摩擦滑り接触を形成することになる。
【００２６】
本発明の様々な態様及び実施形態は、使い棄てオムツ、子供用訓練用パンツ、失禁用物品、女性用ケアー製品、オムツ用パンツ、使い棄て水泳用パンツ、及び同様のもののような使い棄て吸収性物品のための材料の組み合わせの内容において述べられるであろう。これは開示目的のためだけのものであり、本発明は、どんな特定の吸収性物品、すなわち一般的な吸収性物品に制限されるものではない。本発明による材料の組み合わせは、防護用医療衣類、ドレープ、ガウン、及び同様のものなどの多くの用途に有用なものとして使用することができる。
【００２７】
本発明は、上記したことの実現を考慮するもので、少なくとも１つの領域に、望ましい程度の延伸可能性を持つ吸収性使い棄て物品を形成する方法を提供する。例えば、物品は、延伸可能な側部及び／又は腰部部分を持つものとすることができ、或いは、シャーシ全体を延伸可能とすることができる。このような様々な実施形態は、以下に詳細が述べられる。延伸可能な吸収性物品の各々の領域にとって、物品が伸ばされる時、その領域のどの材料が互いに摩擦滑り接触の状態になるかが判断される。物品が伸ばされた時、相互に配置された材料の１方の材料が、他方の材料より大きく又は小さく延伸する時、材料は摩擦滑り接触の状態になる。このような滑り材料がある時、材料間の界面（運動）ＣＯＦが求められる。材料間のＣＯＦが定められた最大値、例えば約０．４より大きい場合には、定められた最大値より小さいＣＯＦ値にまで減少するような方策が講じられる。このようにして、物品が伸ばされた時、滑り摩擦接触状態になる物品のどんな２つの材料の間の高界面ＣＯＦ値も、定められた最大値より大きいものではなくなる。
【００２８】
望ましい定められた最大ＣＯＦ値は、約０．４より大きくなく、望ましくは約０．３より小さいか又はこれと等しい値であることを出願人は見出した。
【００２９】
延伸可能な領域の材料は、定められた最大値より大きくない固有の界面ＣＯＦを持つように、特に選択することができる。特定の適当な材料の組み合わせが、以下に述べられる。代替的に、材料は、定められた最大値より大きい固有の界面ＣＯＦを持つものでよく、１つ又は両方の材料を、Ｔｅｆｌｏｎ（登録商標）又はシリコンのような潤滑性物質で処理して界面ＣＯＦを減少させることができる。代替的実施形態において、１つ又は両方の材料は、界面ＣＯＦを減少するために、公知の処理のどんな組み合わせによってでも処理することができる。このような処理は、例えば、化学的、機械的、熱的、音波、及び電磁石処理を含むことができる。これらの処理を行うための様々な方法が、当業者によく知られており、それらの詳細な説明は、本発明の理解又は認識のためには必要でない。
【００３０】
代替的実施形態においては、材料は、定められた最大値より大きい固有の界面ＣＯＦを持ち、更に材料間に配置されたスリップ部材を含むことができる。スリップ部材は、該スリップ部材と各々の材料との間の界面ＣＯＦが定められた最大値より小さくなるような材料である。スリップ部材は、どんな形態の材料又は基体であってもよい。例えば、スリップ部材は、材料の単一層のように簡単なものとすることができ、例えば非エラストマー性材料の単一層とすることができる。
【００３１】
代替的実施形態においては、ＣＯＦを減少させるための方策を講じる段階は、材料間にスリップ部材を配置することを含むことができる。スリップ部材は、該スリップ部材とそれぞれの材料との間の界面が、例えば、約０．４より大きくないような、定められた最大値より低い摩擦係数を持つように選択された、例えば、非エラストマー性シートのような材料シート又は層とすることができる。スリップ部材は、材料間の支持界面として本質的に機能する材料又は基体であれば、どんなものであってもよい。この点について、如何なる数の材料、或いは材料の変更を採用することができる。
【００３２】
本発明は又、ここに説明された材料の組み合わせ及び考察の利点を利用する、あらゆる形態の吸収性物品を含む。本発明による吸収性物品は、前側腰部領域、後側腰部領域、及び前側及び後側腰部領域の間に延びる股部領域を備えたシャーシを持つことができる。領域の少なくとも１つが、例えば横方向に延伸可能である。領域は又、縦方向のみか、或いは横方向及び縦方向に延伸可能とすることができる。物品は、このような延伸可能な領域を複数含むことができるか、或いはシャーシ全体を延伸可能とすることができる。物品が伸ばされた時、例えば物品が着用又は使用された時、互いが摩擦滑り接触の状態になる少なくとも２つの材料を持つ延伸可能な領域にとって、このような材料間の界面ＣＯＦは、概して定められた最大値より大きくなく、例えば約０．４０より大きくなく、又は約０．３０より大きくない。
【００３３】
吸収性物品の例示的実施形態が、ここに全体的に説明されている。しかしながら、本発明は説明された実施形態に制限されるものではないことを認識すべきである。従来の吸収性物品において使用される構造及び材料は、当業者によく知られているように、広く種々異なるものである。それぞれのこのような材料及び構造の詳細な説明は、本発明の説明の目的には必要ではない。
【００３４】
図１全体を参照して、物品の代表的なものとして、子供用訓練用パンツ１０が示されている。このパンツ１０は、Ｋｉｍｂｅｒｌｙ−Ｃｌａｒｋ  Ｃｏｒｐ．による使い棄て訓練用パンツＨＵＧＧＩＥＳ（登録商標）ＰＵＬＬ−ＵＰＳ（登録商標）と類似した構造及び材料である。物品１０は、長さ方向である縦方向６、横向きである横方向５、前側腰部領域１４、後側腰部領域１２、及び前側と後側腰部領域を互いに結合する中間股部領域１６を持つ本体すなわちシャーシ２０を含む。腰部領域１２及び１４は、着用された時、着用者の腰部又は胴の中間より低い部分を、全体的に又は部分的に覆うか、或いは囲む、物品１０の部分を構成する。特定的な形態において、前側腰部領域１４及び後側腰部領域１２は、弾性部材３３に組み込まれた、弾性前側腰バンド部分１７及び弾性後側腰バンド部分１１を含むことができる。図１の実施形態において、弾性腰バンド部分１１、１７は、図２に示すように、それぞれの腰領域にわたって部分的にのみ延びる。代替的実施形態においては、腰バンド部分１７、１１は、物品の腰部開口部の周りにほぼ連続するものとすることができる。腰部弾性材３３は、エラストマー性フィルム、弾性発泡体、複数の弾性ストランド、エラストマー性布、及び同様のものなどの、どんな適当なエラストマー性材料からも構成することができる。本発明において物品１００に利用することができる腰バンド構造の実施形態は又、米国特許第５，６０１，５４７号、第５，５００，０６３号、第５，５４５，１５８号、第６，３５８，３５０号Ｂ１、第６，３３６，９２１号Ｂ１、及び第５，７１１，８３２号に記載されており、その全体はすべての目的について引用によりここに組み入れられる。
【００３５】
中間股部領域１６は、腰部領域１４、１２の間に位置し、これらを互いに結合しており、着用された時、着用者の脚部の間に位置し、着用者の胴下部を覆うような物品１０の部分を含む。このように、中間股部領域１６は、訓練用パンツその他の使い棄て吸収性物品において、流体のサージが典型的に繰り返し起こる領域である。
【００３６】
物品１０は、実質的に、液体不透過性外カバー部材３０、液体透過性身体側ライナー２８、及び外カバー部材３０と身体側ライナー２８の間に挟まれた吸収体構造３２を含む。吸収体構造は、接着剤（図４の接着剤７０のような）によって外カバー部材３０に固定することができる。以下に更に詳細に示すように、吸収体構造３２は、サージ層４８を含むことができる。
【００３７】
脚部弾性材３４は、吸収体構造３２の外側寄りの、シャーシ２０の横方向側部端に沿って組み込むことができ、着用者の脚部に対してシャーシ２０を引っ張り保持するように構成されている。使い棄てオムツ及び訓練用パンツのような吸収性物品において、弾性脚部部材を使用することは、当技術において広く知られており、かつ理解されている。
【００３８】
製品の心地よさ、性能、大きさの範囲などの様々な理由により、シャーシ２０の特定の部分及び部品は、エラストマー性材料から形成することができ、これにより、延伸可能に、特に横向きすなわち横方向５に延伸可能にすることができる。図１において、物品１０の実施形態では、シャーシ２０は、シャーシ２０の中央構造から横向きに延びる、延伸可能な前側側部パネル部分５０及び後側側部パネル部分５２を含む。この形態は、訓練用パンツに共通していて、腰部領域１２、１４にわたって、横方向に望ましい程度に延伸可能である物品を提供する。図１に示された公知で通常の配列では、パネル部分５０、５２は、全体的にエラストマー性側部パネル５６によって構成され、シャーシ２０の横方向側部に、例えば接着シームライン２７に沿って取り付けられる。側部パネル５６にとって適当であり、かつ、弾性側部パネルを訓練用パンツに組み込むための説明された方法にとって適当な弾性材料は、例えば、次の米国特許第４，９４０，４６４号、第５，２２４，４０５号、第５，１０４，１１６号、第５，０４６，２７２、号、及びＷＯ  ０１／８８２４５に記載されており、その全体はすべての目的について引用によりここに組み入れられる。特定の実施形態において、弾性材料は、延伸熱接合積層体（ＳＴＬ）、ネック付与状態で接着した積層体（ＮＢＬ）、可逆的にネック付与した積層体、延伸接着した積層体（ＳＢＬ）材料、又はネック付与状態で延伸接着した積層体（ＮＳＢＬ）を含む。このような材料を形成する方法は、例えば、米国特許第４，６６３，２２０号、第５，２２６，９９２号、及びヨーロッパ特許出願０  ２１７  ０３２に記載されており、その全体はすべての目的について引用によりここに組み入れられる。
【００３９】
パネル５６の横方向外側寄りの側部は、側部シーム２６と結合されて腰部開口２４及び脚部開口２２を持つパンツのような構造を形成する。この型の形態では、物品１０は、下着と同様な方法で着用者が引き上げて着用する。物品の外カバー及びライナー部品の横方向両側の側部領域を超えて外側に横向きに延びるように、物品の横方向側部部分に、１対の弾性的に伸長可能な部材を固定するための適当な構成の特定の例は、米国特許第４，９３８，７５３号に見ることができ、その全体はすべての目的について引用によりここに組み入れられる。
【００４０】
望ましくは、シーム２６は、シーム２６で又はシーム２６に沿って引き裂き又は引っ張りにより着用者から取り外すことができるように、分離可能又は引き裂き可能とすることができ、パンツ１０はオムツと同様の方法で物品を除去することができる。代替的実施形態において、前側パネル部分５０及び後側パネル部分５２は、側部シーム２６において分離可能で、かつ、再取り付け可能とすることができる。フック・ループ型システムのような締結システムを、腰部領域１２及び１４を相互結合して、パンツ構造を形成し、着用者上に物品を保持するために使用することができる。更に適当な取り外し可能な締結システムは、米国特許第６，２３１，５５７号Ｂ１及び国際出願番号ＷＯ  ００／３５３９５に記載されており、その全体はすべての目的について引用によりここに組み入れられる。
【００４１】
着用者が物品１０を引き上げて着用する時、エラストマー性側部パネルは、外カバー部材３０及び身体側ライナー２８の横方向５に張力を加える。ライナー２８及び外カバー部材３０の１つ又は両方がエラストマー性である実施形態においては、材料のいずれか１つ又は両方は、吸収体構造３２の表面、例えば吸収体材料を包むティッシュ又はラップ層と滑り摩擦係合の状態になる。この摩擦係合は、層間の吸収体の圧縮によって強められることになる。本発明の教示によると、吸収体構造３２と外カバー部材３０及び身体側ライナー２８との間の界面ＣＯＦは、定められた最大値、例えば約０．４より大きくない値とする。これは、例えば、固有の界面ＣＯＦが定められた最大限度より小さいような材料を、それぞれ選択することにより達成することができる。莫大な数の材料が当業者に知られており、材料の適当な組み合わせは実験により求めることができる。代替的実施形態において、適当なスリップ部材７２（図４）を、吸収体構造３２と外カバー部材３０又は身体側ライナー２８との間に配置することができる。更に別の実施形態において、界面を構成する表面のいずれか一方又は両方を、上記したような界面ＣＯＦを定められた最大値以下に減少させるために処理することができる。
【００４２】
図２に示された吸収性物品１０の代替的実施形態において、パネル部分５０、５２は、一体のシャーシ２０の延長部分とすることができる。例えば、パネルは、外カバー部材３０又は身体側ライナー２８、或いはその両方の延長部分とすることができる。例えば、シャーシ２０は、エラストマー性カバー部材３０又はエラストマー性身体側ライナー２８を含むことができ、かつ、一体のシャーシと組み合わせられて該シャーシを延伸可能にさせるエラストマー性成分とのどのような組み合わせを含んでもよい。吸収体構造３２は、外カバー部材３０と身体側ライナー２８の間の側部パネル５０、５２に沿って横向きに延びるウイング部分３２ａを含むことができる。この型の形態において、滑り摩擦界面は、例えば、ウイング部分３２ａの横方向外側寄りの領域において、エラストマー性外カバー部材３０と吸収体構造３２との間、身体側ライナー２８と吸収体構造３２の間、及び外カバー部材３０と身体側ライナー２８の間に存在することができる。これらの領域の界面ＣＯＦは、定められた最大値を超えないように、上述の対処をすることができる。
【００４３】
本発明による物品１０は又、概して当技術で理解され図に示されているように、身体側ライナー２８上に配置された、縦向きに延びる収容フラップ５８を組み込むことができる。フラップ５８は、腰バンド部分１７、１１で全体をシャーシ２０に取り付けられた縦方向端部を持つ。本発明のある実施形態においては、フラップ５８は、下側にある吸収体構造３２の、望ましくは外側寄りのシャーシ２０に取り付けられた外側寄り横方向側部６２を持つ、分離したパネル又はシート材料を含むことができる。図１及び２を参照すると、フラップ５８は、例えば、シームライン２７に沿って取り付けることができる。フラップ５８は、横方向内側寄りに「自由」側部６０を持ち、フラップは、本質的に、吸収性構造３２の横方向側部に沿って収容ポケットを定める。自由側部６０には、当業者に一般的に知られているように、縦方向側部に沿ってフラップ弾性材３６（図４）を組み込むことができる。フラップ５８と身体側ライナー２８の間の界面は又、界面ＣＯＦが定められた最大値以下であることが望まれる。これは、前述したように、材料の選択及び／又は様々な処理を通して達成することができる。
【００４４】
フラップ５８は、自由横方向内側側部６０の少なくとも一部分に沿って、弾性部材３６を含むことができる。このような収容フラップ５８の構造は、よく知られており、詳細に説明する必要はない。収容フラップ５８の適当な構成及び配列は、例えば米国特許第４，７０４，１１６号に記載されており、すべての目的について引用によりここに組み入れられる。
【００４５】
図３は、代表的物品１０、この場合は訓練用パンツの身体側平面図を、その全体を平坦で収縮されていない状態（すなわちギャザー寄せ及び収縮を引き起こす弾性材の、実質的にはすべてが除去された状態）で示している。図４は、図３に示された線で切り取った横断面図である。これらの図は、特に、物品の様々な部品の間の重なった関係及び潜在的な滑り摩擦係合を示す。これらの成分は、従来の適当な取り付け方法、例えば、接着剤接着、超音波接着、熱接着、ピン、ステッチ、又は当業者に知られた他の取り付け技術、更にこれらの組み合わせなどによって、互いに取り付けられるか又は結合される。例えば、接着剤の均一な連続層、接着剤のパターン化した層、接着剤のスプレーパターン、構造用接着剤の個別の線の列、渦又はスポットを、様々な部品に付加するために使用することができる。
【００４６】
図４は、外カバー部材３０と吸収体構造３２の間、及びサージ層４８と身体側ライナー２８の間に配置されたスリップ部材７２の使用を示している。上記したように、スリップ部材は、外カバー部材３０、吸収体構造３２、及び／又は、身体側ライナー２８に対して定められた最大値以下の界面ＣＯＦを持つ、どんな適当な材料とすることもできる。
【００４７】
別々の外カバー部材３０として使用するために、様々な材料が入手可能で、当業者に知られている。外カバー部材３０の構造は、吸収体に隣接し又は近傍にある選択された領域に望ましいレベルの液体不透過性を与えるように全体又は一部分が構成され又は処理された織成ウエブ又は不織繊維ウエブ層を含むことができる。代替的に、液体不透過性材料を、吸収体構造３２に別部品として組み合わせることができる。外カバー部材は、気体透過性又は気体透過性でないポリマーフィルム層に積層された、気体透過性の不織布層を含むことができる。繊維性で布のような外カバー材料の他の例は、延伸され薄肉にされた材料又は延伸熱接合積層体材料を含むことができる。外カバー部材３０は、典型的には物品の最外側の層を構成するものであるが、物品は、時には外カバー部材に付加的な分離した外カバー部品部材を含むこともできる。
【００４８】
上述したように、外カバー部材３０は、実質的にエラストマー性材料から形成することができ、したがって、延伸可能とすることができる。外カバー部材は、例えば、単層、多層、積層体、スパンボンド布、フィルム、メルトブローン布、弾性ネット、多孔性ウエブ、ボンデッドカーデッドウエブ又はエラストマー性又はポリマー性材料から成る発泡体で形成することができる。エラストマー性不織積層体ウエブは、１つ又はこれより多いギャザー寄せ可能な不織ウエブ、フィルム、又は発泡体に結合した不織材料を含むことができる。延伸接着した積層体（ＳＢＬ）、ネック付与状態で接着した積層体（ＮＢＬ）、及びネック付与状態で延伸接着した積層体（ＮＳＢＬ）が、エラストマー性複合体の例である。不織布は、識別可能な繰り返しの形態で個々の繊維が織り合わされた構造を形成する織り布工程を使用することなく形成された材料ウエブのどんなものでもよい。適当な材料の例は、スパンボンド−メルトブローン布、スパンボンド−メルトブローン−スパンボンド布、スパンボンド布、又は、これらの布と、フィルム、発泡体、その他の不織ウエブとの積層体とすることができる。エラストマー性材料は、キャスト成形されたフィルム又はブロー成形されたフィルム、発泡体、又はポリエチレン、ポリプロピレン、又はポリオレフィンコポリマー、及びこれらの組み合わせから成るメルトブローン布を含むことができる。外カバー１３０は、機械的工程、印刷工程、熱的工程、又は化学処理を通して得られたエラストマー性特性を持つ材料を含むことができる。例えば、このような材料は、多孔性で、クレープ加工され、ネック付与状態で延伸され、熱活性化され、エンボス加工され、及び微小歪みを持ったものとすることができ、更にフィルム、ウエブ、及び積層体の形状とすることができる。
【００４９】
吸収体構造３２は、概して圧縮可能で、馴染み性があり、着用者の肌に刺激がなく、更に液体及び身体滲出物を吸収し保持することが可能な部品の、どんな構造又は組み合わせともすることができる。例えば、構造３２は、セルロース系繊維（例えば木質パルプ繊維）、他の天然繊維、合成繊維、織成又は不織シート、粗く織った布、又は他の安定構造、超吸収性材料結合材料、界面活性剤、選択された疎水性材料、顔料、ローション、臭気制御剤、又は同様のもの、更にこれらの組み合わせの吸収性ウエブ材料を含むことができる。特定の実施形態において、吸収性ウエブ材料は、セルロース系フラフのマトリックス及び超吸収性ヒドロゲル形成粒状物とする。セルロース系フラフは、木質パルプフラフの混合物を含むことができる。１つの好ましいフラフの型は、米国、アラバマ州チルダースバーグのＵ．Ｓ．Ａｌｌｉａｎｃｅから入手可能な商標ＣＲ１６５４で識別され、漂白され、主に柔軟木質繊維を含む高吸収性木質パルプである。吸収性材料は、様々な従来の方法及び技術を使用してウエブ構造に形成することができる。例えば、吸収性ウエブは、乾燥時形成技術、空気形成技術、湿潤時形成技術、発泡体形成技術、又は同様のもの、更にこれらの組み合わせで形成することができる。このような技術の実行のための方法及び装置は、当業者によく知られている。
【００５０】
一般的に、超吸収性材料は、ウエブの総重量を基本にして約０から約９０重量％の量で吸収性ウエブ内に存在する。ウエブは、約０．１０から約０．３５グラム／立方センチメートルの範囲内の密度を持つことができる。
【００５１】
超吸収性材料は当業者によく知られており、天然、合成、及び変成天然ポリマー及び材料から選択することができる。超吸収性材料は、シリカゲルのような無機物材料、又は架橋結合されたポリマーのような有機化合物とすることができる。典型的には、超吸収性材料は、その重量の少なくとも約１５倍の液体を吸収することができ、更に望ましくはその重量の約２５倍より多い量の液体を吸収することができる。適当な超吸収性材料は、様々な供給者から容易に入手可能である。例えば、Ｆａｖｏｒ８８０超吸収体がドイツのＳｔｏｃｋｈａｕｓｅｎ  ＧｍｂＨから入手可能であり、更にＤｒｙｔｅｃｈ２０３５が、米国、ミシガン州ミッドランドのＤｏｗ  Ｃｈｅｍｉｃａｌ  Ｃｏｍｐａｎｙから入手可能である。
【００５２】
望ましい形状に形成されるか又は切り取られた後、吸収性ウエブ材料は、吸収性構造３２の一体性及び形状を維持するのを助けるために、適当なラップによってラップするか又は包むことができる。
【００５３】
吸収性ウエブ材料は又、コフォーム材料とすることができる。「コフォーム材料」という用語は、一般的に、熱可塑性繊維と第二の非熱可塑性材料との混合物又は安定したマトリックスを含む複合材料を意味する。一例として、コフォーム材料は、少なくとも１つのメルトブローンダイヘッドが、シュートの近くに配列され、ウエブが形成される間にこのシュートを通してウエブに他の材料が付加される方法によって形成することができる。このような他の材料は、これらに制限されるものではないが、木質又は木綿のような非木質パルプなどの繊維性有機物材料、レーヨン、リサイクルされた紙、パルプフラフ、及び超吸収性粒状物、無機物吸収性材料、処理済みポリマー性ステープル繊維及び同様のものを含むことができる。どんな種々異なる合成ポリマーも、コフォーム材料のメルトスパン成分として利用することができる。例えば、幾つかの実施形態においては、熱可塑性ポリマーを利用することができる。利用できる適当な熱可塑性材の幾つかの例は、ポリエチレン、ポリプロピレン、ポリブチレン及び同様のものなどのポリオレフィン、ポリアミド、及びポリエステルを含む。１つの実施形態において、熱可塑性ポリマーは、ポリプロピレンとする。このようなコフォーム材料の幾つかの例は、Ａｎｄｅｒｓｏｎ他の米国特許第４，１００，３２４号、Ｅｖｅｒｈａｒｔ他の米国特許第５，２８４，７０３号、及びＧｅｏｒｇｅｒ他の米国特許第５，３５０，６２４号に記載されており、その全体はすべての目的について引用によりここに組み入れられる。
【００５４】
吸収体構造３２は、エラストマー性コフォーム吸収性ウエブ材料を含むことができる。特定の態様において、エラストマー性コフォーム材料は、少なくとも最小で約５０ｇ／ｍ2のコフォーム全体の基本重量を持つことができる。コフォームの基本重量は、代替的に、改善された性能を付与するために、少なくとも約１００ｇ／ｍ2、更に任意ではあるが少なくとも約２００ｇ／ｍ2とすることができる。更に、コフォームの基本重量は、約１２００ｇ／ｍ2より大きくないものとすることができる。代替的に、コフォームの基本重量は、改善された利益を付与するために、約９００ｇ／ｍ2より大きくなく、更に任意ではあるが、約８００ｇ／ｍ2より大きくないものとすることができる。吸収体構造に、吸収体構造の物理的特性又は液体処理機能を過度に低下させることなく、望ましい延伸可能性及び構造的安定性を付与することができるという理由から、これらの値は重要である。過度に低い割合のエラストマー性コフォーム材料を持つ保持部分は、十分に延伸可能ではない。過度に大きい量のエラストマー性コフォーム材料を持つ吸収性ウエブ材料は、取り込み、分配及び／又は保持特性の過度の低下など、吸収性機能の過度の低下を示すものとなる。
【００５５】
エラストマー性吸収性構造の他の例は、米国特許第６，３６２，３８９号Ｂ１に記載されており、すべての目的について引用によりここに組み入れられる。
【００５６】
吸収体構造３２に利用される吸収性ウエブ材料は、個々の吸収体構造が、使用しようとする物品の目的に応じて特定の個々の総吸収性を保持するように選択される。例えば、幼児用ケアー製品に対しては、総吸収性は、０．９重量％の生理的食塩水の約２００−９００グラムの範囲内とすることができ、典型的には約５００ｇの生理的食塩水とすることができる。大人用ケアー製品に対しては、総吸収性は、生理的食塩水約４００−２０００グラムの範囲内とすることができ、典型的には生理的食塩水約１３００グラムとすることができる。女性用ケアー製品に対しては、総吸収性は、月経流体約７−５０グラムの範囲内とすることができ、典型的には月経流体約３０−４０グラムの範囲内とすることができる。
【００５７】
上記したように、吸収体構造３２は又、サージ処理層４８を含むことができ、これは物品の吸収体へ迅速に導かれる液体のサージ又は放出を、減速し更に放散するようにするものである。望ましくは、サージ処理層は、吸収性構造の貯蔵又は保持部分に液体が放出される前に、液体を迅速に受け入れ、一時的に保持することができる。サージ層は、身体側ライナー層２８の下に位置することができる。代替的に、サージ層は、身体側ライナー２８の身体側表面上に位置されることができる。適当なサージ処理層の例は、米国特許第５，４８６，１６６号、及び第５，４９０，８４６号に記載されている。他の適当なサージ処理材料は、米国特許第５，８２０，９７３号に記載されている。これらの特許の開示は、その全体においてすべての目的について引用によりここに組み入れられる。
【実施例】
【００５８】
本発明の目的のために、材料の様々な組み合わせが、これら材料間の動摩擦係数を求めるためにテストされた。界面動摩擦係数は、再現可能で更に測定可能であり、実際の製品の使用条件をより代表するものである。動摩擦係数は、ＡＳＴＭ  Ｄ１８９４−００法を使用して求められる。ＡＳＴＭ手順は引用によりここに組み入れられる。ＡＳＴＭ手順は、ＭＤ方向に２５０ｍｍ、ＣＤ方向に１３０ｍｍの大きさの試料を必要とする。この大きさの「きれいな」試料は、典型的には「切り取る」か、又は他の方法で従来の吸収性物品から得ることはできず、したがって、ＡＳＴＭ手順によって厳密に摩擦係数を計測するためには、材料の製造者又は提供者から正確な試料を得ることが必要である。実際の吸収性物品からの試料間の摩擦係数を計測するために、減少させた試料の大きさに適応させるように、ＡＳＴＭ手順を変更させる必要がある。このような変更は、当業者により容易に成されることができる。
【００５９】
以下に示す様々な組み合わせの材料がテストされた。材料の試料は、ＣＤ方向に６７ｍｍ、ＭＤ方向に１５２ｍｍに計測され、より小さい試料サイズに適応するように修正された形式のＡＳＴＭ  Ｄ１８９４−００でテストされた。試料は、Ｉｎｓｔｒｕｍｅｎｔｏｒｓ，Ｉｎｃ．からのＳｌｉｐ／Ｐｅｅｌ  Ｔｅｓｔｅｒ  モジュールＳＰ−１０１Ａを適切に正しく目盛りを調整されてテストされ、材料の様々な表面間の動摩擦係数（ＣＯＦ）が求められた。
【００６０】
テストされた材料を以下に示す。
ＳＭＳ
＊ＳＭＳは、Ｍｏｎｔｅｌｌ  ＰＦ−３０４ポリプロピレンのスパンボンドーメルトブローンースパンボンド積層体である。
＊総基本重量は、１．０ｏｓｙ（オンス／平方ヤード）（＝約３４ｇ／ｍ2）とする。
＊メルトブローン含有量は、１４％＋／−３％とする。
＊次のような順序で設定された連続方法で形成された：１スパンボンドダイ群、次に３メルトブローン群、１スパンボンド群（５総群、ＳＢ−ＭＢ−ＳＢの３層）。
＊図面番号＃Ｒ−９０３３９−Ｍ−０２４−Ｂ／Ｍ−０１５−Ｄの織りパターンでエンボス加工された。
＊ＳＭＳは、米国特許第４，０４１，２０３号に記載されたものと類似しており、米国ウイスコンシン州、ニーナのＫｉｍｂｅｒｌｙ−Ｃｌａｒｋ  Ｃｏｒｐ．からのＨＵＧＧＩＥＳ（登録商標）ＬＩＴＴＬＥ  ＳＷＩＭＭＥＲＳ（登録商標）の外カバーに使用されたＳＭＳとする。
ポリ
＊白色で、両側をコロナ処理された０．７５ＰＥフィルム、エンボスのへこみ側が繰り出される。
＊エンボス加工されたパターン
＊認識番号は、ＤＦＳＴ／Ｅ  ＸＰ−４１４Ｂ
＊米国イリノイ州シャームバーグのＰｌｉａｎｔ  Ｃｏｒｐ．より入手可能。
ティッシュ
＊１６．６ｇｓｍ白色で形成されたティッシュ
＊クレープ加工されたワディング
＊約５％の湿分含有量
＊約３００ｃｆｍ／ｓｑｆｔのフラジール分布（１ｐｌｙ）
＊米国ニューヨーク州、ガバナーのＣｅｌｌｕｔｉｓｓｕｅ  Ｃｏｒｐ．より入手可能。
スパンボンド
＊０．６又は０．３ｏｓｙの低いデニールの不織スパンボンド
＊１３−２３％の接着面積
＊ポリプロピレン
＊ランダムに置かれた連続した繊維
ネック付与状態で延伸接着した積層体（ＮＳＢＬ）
＊共押し出し形成された０．３ｏｓｙのポリエチレン／ポリプロピレンスパンボンドの表面材料が６０％ネック付与されて０．５ｏｓｙ（＝約１７ｇ／ｍ2）にされた。
＊約８−１５ｇｓｍの間のＫｒａｔｏｎ（登録商標）６６１０弾性フィルム
Ｐｅｂａｘ（登録商標）フィルム
＊米国ペンシルベニア州、フィラデルフィアのＥＬＦ  Ａｕｔｏｃｈｅｍ  Ｉｎｃ．より入手可能な、ポリエステルブロックアミドコポリマーフィルム
【００６１】
上記した材料の組み合わせで実行されたテストの結果が、次の表に示されている。
表１
0004436254.tif 000002
【００６２】
テストされた組み合わせの材料の中で、非延伸材料界面に対する最も望ましい延伸材料は、ポリ組み合わせに対するＮＳＢＬである。一般的には、その目標が、吸収性物品シャーシにおいて、最小の張力で最大に延伸材料を利用することである場合、延伸材料と非延伸材料の間が、又は２つの延伸材料の間が０．４０と等しい又はこれより小さいＣＯＦであることが望ましい。
【００６３】
ここでなされた本発明の説明を読んだ後に、本発明の範囲及び意図から外れることなく、ここに述べられた発明の実施形態に対し、様々な他の実施形態、修正及び均等な手段が、当業者自身に示唆されることを理解すべきである。
【図面の簡単な説明】
【００６４】
【図１】本発明による例示的吸収性物品の斜視図である。
【図２】本発明による吸収性物品の代替的実施形態を、部分的に切り取って示す斜視図である。
【図３】本発明の特徴が組み込まれた吸収性物品の実施形態の身体側平面図である。
【図４】図３に示された線から見た、図３に示されている物品の横断面図である。
【符号の説明】
【００６５】
１２  後側腰部領域
１４  前側腰部領域
１６  股部領域
２０  シャーシ
２６  シーム
２８  身体側ライナー
３０  外カバー部材
３２  吸収体構造
３３  弾性部材
５０  前側側部パネル部分
５２  後側側部パネル部分
５８  収容フラップ
【図１】
0004436254.tif 000003
【図２】
0004436254.tif 000004
【図３】
0004436254.tif 000005
【図４】
0004436254.tif 000006